(57)【要約】  シャツは、襟とシャツ本体とに取り付けられた襟腰を有する。襟腰は、その少なくとも２つの方向において伸長性および復元性を有する生地から形成されている。襟腰は、硬質であるかまたは伸長性がある生地として始まり、上記襟の実質的に硬質な部分に取り付けられている。
2019510138.tif 000002
【特許請求の範囲】
【請求項１】
襟とシャツ本体とに取り付けられた襟腰を備え、
前記襟腰は、共布から形成され、その少なくとも２つの非対向方向において伸長性および復元性を有し、内側ピースおよび外側ピースを有し、
前記内側ピースおよび前記外側ピースは各々、可融基材と融着された前記共布から形成され、
前記襟腰は、前記襟の実質的に硬質な部分に取り付けられている、
シャツ。
【請求項２】
前記襟は、実質的に硬質である、
請求項１に記載のシャツ。
【請求項３】
前記襟の全体より小さい部分が実質的に硬質である、
請求項１に記載のシャツ。
【請求項４】
前記内側ピースは、前記外側ピースと実質的に同じ形状およびサイズを有する、
請求項１に記載のシャツ。
【請求項５】
前記襟の前記実質的に硬質な部分のうちの少なくとも一部は、前記襟腰の長さ寸法に沿って前記襟腰の前記内側ピースと前記外側ピースとの間に縫われている、
請求項４に記載のシャツ。
【請求項６】
前記襟のうちの、前記内側ピースと前記外側ピースとの間に縫われている前記部分は、その長さに沿って１／８インチ（３．２ｍｍ）と１／４インチ（６．４ｍｍ）との間の幅（Ｗ１）を有する、
請求項５に記載のシャツ。
【請求項７】
前記シャツ本体の一部分が、前記襟腰の長さ寸法に沿って前記襟腰の前記内側ピースと前記外側ピースとの間に縫われている、
請求項４に記載のシャツ。
【請求項８】
前記シャツ本体のうちの、前記内側ピースと前記外側ピースとの間に縫われている前記部分は、その長さに沿って１／８インチ（３．２ｍｍ）と１／４インチ（６．４ｍｍ）との間の幅（Ｗ２）を有する、
請求項７に記載のシャツ。
【請求項９】
前記襟の前記実質的に硬質な部分のうちの少なくとも一部は、前記襟腰の長さ寸法に沿って前記襟腰の前記内側ピースと前記外側ピースとの間に縫われており、
前記シャツ本体の一部分が、前記襟腰の長さ寸法に沿って前記襟腰の前記内側ピースと前記外側ピースとの間に縫われており、
前記襟のうちの、前記内側ピースと前記外側ピースとの間に縫われている前記部分は、１／８インチ（３．２ｍｍ）と１／４インチ（６．４ｍｍ）との間の幅（Ｗ１）を有し、
前記シャツ本体のうちの、前記内側ピースと前記外側ピースとの間に縫われている前記部分は、１／８インチ（３．２ｍｍ）と１／４インチ（６．４ｍｍ）との間の幅（Ｗ２）を有する、
請求項４に記載のシャツ。
【請求項１０】
前記襟腰は、幅（Ｗ）を有し、
Ｗ１＋Ｗ２が前記襟腰の前記幅（Ｗ）の約５％と５０％との間である、
請求項９に記載のシャツ。
【請求項１１】
Ｗ１＋Ｗ２は、前記襟腰の前記幅（Ｗ）の約２０％と４０％との間である、
請求項１０に記載のシャツ。
【請求項１２】
前記襟の前記実質的に硬質な部分のうちの少なくとも一部は、前記襟腰の長さ寸法に沿って前記襟腰の前記内側ピースと前記外側ピースとの間に縫われており、
前記シャツ本体の一部分が、前記襟腰の長さ寸法に沿って前記襟腰の前記内側ピースと前記外側ピースとの間に縫われており、
前記襟のうちの、前記内側ピースと前記外側ピースとの間に縫われている前記部分は、幅（Ｗ１）を有し、
前記シャツ本体のうちの、前記内側ピースと前記外側ピースとの間に縫われている前記部分は、幅（Ｗ２）を有し、
前記襟腰は幅（Ｗ）を有し、
Ｗ１＋Ｗ２は、前記襟腰の前記幅（Ｗ）の約５％と５０％との間である、
請求項４に記載のシャツ。
【請求項１３】
Ｗ１＋Ｗ２は、前記襟腰の前記幅（Ｗ）の２０％と４０％との間である、
請求項１２に記載のシャツ。
【請求項１４】
前記シャツ本体の一部分が、前記襟腰の長さ寸法に沿って前記襟腰の前記内側ピースと前記外側ピースとの間に縫われている
請求項５に記載のシャツ。
【請求項１５】
前記シャツ本体の一部分が、前記襟腰の長さ寸法に沿って前記襟腰の前記内側ピースと前記外側ピースとの間に縫われている、
請求項６に記載のシャツ。
【請求項１６】
前記共布は、そのバイアスで切断されている、
請求項１に記載のシャツ。
【請求項１７】
前記可融基材は、２つの方向において伸長性および復元性を提供および制御する、
請求項４に記載のシャツ。
【請求項１８】
前記２つの方向は、前記２つの非対向方向を含む、
請求項１７に記載のシャツ。
【請求項１９】
前記可融基材は、前記２つの方向のうちの一方において、より高い伸長性を有する、
請求項１７に記載のシャツ。
【請求項２０】
前記２つの非対向方向のうちの一方は、前記２つの非対向方向のうちの他方と実質的に垂直である、
請求項１から１９のいずれか一項に記載のシャツ。
【請求項２１】
前記襟腰の前記共布は、シャツ生地と、綿と、ポリコットンと、リネンとから選択され、
前記シャツは、シャツ生地と、綿と、ポリコットンと、リネンとから選択された生地を備える、
請求項１から１９のいずれか一項に記載のシャツ。
【請求項２２】
前記襟腰の前記共布は、前記シャツの前記生地と同じである、
請求項２１に記載のシャツ。
【請求項２３】
前記可融基材は、双方向可融基材である、
請求項１から１９のいずれか一項に記載のシャツ。
【請求項２４】
襟とシャツ本体とに取り付けられた襟腰を備え、
前記襟腰は、共布から形成され、その少なくとも２つの非対向方向において伸長性および復元性を有し、前記襟の実質的に硬質な部分に取り付けられ、内側ピースと、前記内側ピースと実質的に同じ形状およびサイズを有する外側ピースとを有し、
前記内側ピースおよび前記外側ピースは各々、その少なくとも２つの方向において伸長性および復元性を有する前記共布から形成され、
前記内側ピースおよび前記外側ピースのうちの少なくとも一方は、２つの方向において伸長性および復元性を提供および制御する可融基材と融着された前記共布を用いて形成され、
前記襟の前記実質的に硬質な部分のうちの少なくとも一部は、前記襟腰の長さ寸法に沿って前記襟腰の前記内側ピースと前記外側ピースとの間に縫われており、
前記シャツ本体の一部分が、前記襟腰の長さ寸法に沿って前記襟腰の前記内側ピースと前記外側ピースとの間に縫われており、
前記襟のうちの、前記内側ピースと前記外側ピースとの間に縫われている前記部分は、幅（Ｗ１）を有し、
前記シャツ本体のうちの、前記内側ピースと前記外側ピースとの間に縫われている前記部分は、幅（Ｗ２）を有し、
前記襟腰は、幅（Ｗ）を有し、
Ｗ１＋Ｗ２は、前記襟腰の前記幅（Ｗ）の約５％と５０％との間である、
シャツ。
【請求項２５】
Ｗ１＋Ｗ２は、前記襟腰の前記幅（Ｗ）の約２０％と４０％との間である、
請求項２４に記載のシャツ。
【請求項２６】
Ｗ１は１／８インチ（３．２ｍｍ）と１／４インチ（６．４ｍｍ）との間である、
請求項２５に記載のシャツ。
【請求項２７】
Ｗ２は１／８インチ（３．２ｍｍ）と１／４インチ（６．４ｍｍ）との間である、
請求項２６に記載のシャツ。
【請求項２８】
前記襟は実質的に硬質である、
請求項２４に記載のシャツ。
【請求項２９】
前記襟の全体より小さい部分が実質的に硬質である、
請求項２４に記載のシャツ。
【請求項３０】
前記共布はそのバイアスで切断されている、
請求項２４に記載のシャツ。
【請求項３１】
前記可融基材は、前記２つの方向のうちの一方において、より高い伸長性を有する、
請求項２４に記載のシャツ。
【請求項３２】
組み合わせて襟に取り付けられた襟腰であって、
前記襟腰は、共布から形成され、その少なくとも２つの別個の非対向方向において伸長性および復元性を有し、前記襟の実質的に硬質な部分に取り付けられ、内側ピースおよび外側ピースを備え、
前記内側ピースおよび前記外側ピースのうちの少なくとも一方は、前記少なくとも２つの別個の非対向方向において伸長性および復元性を提供および制御する可融基材と融着された前記共布を用いて形成され、
前記可融基材は、前記少なくとも２つの別個の非対向方向のうちの一方において、より高い伸長性を有する、
襟腰。
【請求項３３】
前記共布は、シャツ生地と、綿と、ポリコットンと、リネンとから選択される、
請求項３２に記載の襟腰。
【請求項３４】
シャツ生地を備え、
前記共布は、前記シャツ生地と同じである、
請求項３２または３３に記載の襟腰。
【請求項３５】
襟腰を襟とシャツ本体とに取り付ける段階を備え、
前記襟腰は、共布から形成され、その少なくとも２つの方向において伸長性および復元性を有し、内側ピースおよび外側ピースを有し、
前記内側ピースおよび前記外側ピースは各々、可融基材と融着された前記共布から形成され、
前記襟腰は、前記襟の実質的に硬質な部分に取り付けられている、
シャツを製造する方法。
【請求項３６】
襟腰であって、
内側ピースおよび外側ピースを備え、
前記内側ピースおよび前記外側ピースは各々、可融基材と融着された共布から形成され、
前記襟腰は、その少なくとも２つの非対向方向において伸長性および復元性を有する、
襟腰。
【請求項３７】
前記内側ピースは、前記外側ピースと実質的に同じ形状およびサイズを有する、
請求項３６に記載の襟腰。
【請求項３８】
前記共布は、そのバイアスで切断されている、
請求項３６または３７に記載の襟腰。
【請求項３９】
前記可融基材は、双方向可融基材を含む、
請求項３６または３７に記載の襟腰。
【請求項４０】
前記共布は、シャツ生地と、綿と、ポリコットンと、リネンとから選択される、
請求項３６または３７に記載の襟腰。
【請求項４１】
襟と、シャツ本体と、請求項３６または３７に記載の襟腰とを備え、
前記襟腰は、前記襟と前記シャツ本体とに取り付けられている、
シャツ。
【発明の詳細な説明】
【背景技術】
【０００１】
関連出願  本願は、２０１６年２月２９日に出願された米国仮出願第６２／３０１，０７５号の利益を主張する。当該仮出願の全内容は、あらゆる目的で、参照により本明細書に完全に組み込まれている。
【０００２】
著作権に関する記載  本特許文献は、著作権による保護の対象である資料を含む。著作権所有者は、本特許文献または米国特許商標庁のファイルにおけるあらゆる関連資料の複製に対して異議を唱えるものではないが、そうでない場合には、いかなる理由があろうとも全ての著作権を留保する。
【技術分野】
【０００３】
本発明は、衣服、および衣服の製造に関する。より具体的には、本発明は、シャツおよび伸縮可能なシャツ用襟に関する。  ［背景および概要］
【０００４】
シャツ、特に男性のドレスシャツは、典型的には、襟の周囲および袖の長さに基づいてサイズが決められる。いくつかのシャツ、特に男性のドレスシャツは一般に、（例えば、ボタンで）襟を閉じて着用されるようにサイズが決められる。よって、襟に何らかの縮みがあると、着用者に悪影響を及ぼす。残念ながら、ほとんどのドレスシャツに用いられている生地は、洗濯による縮みにさらされるので、ほとんどのドレスシャツは、複数回洗った後に着用が困難または不快なものになり得る。加えて、シャツの着用者は体重が増え得る。それにより、彼らの首回りが増して、彼らのドレスシャツは、首のところで閉じるのが困難になる。
【０００５】
その形状を保持しつつ必要に応じて伸び、その元の長さに戻るシャツ用襟腰を提供することが望ましい。縮みがわずかであるか、または全くないシャツ用襟腰を提供することがさらに望ましい。バックヨークにつながる箇所のしわを無くすように、着用された場合に撓むシャツ用襟腰を提供することも望ましい。そのような襟腰を有するシャツを提供することがさらに望ましい。
【図面の簡単な説明】
【０００６】
本発明の様々な他の目的、特徴および付随する利点が、添付図面とともに考えられた場合により良く理解されるようになるとおりに、完全に理解されるようになるであろう。添付図面において、同様の参照符号は、いくつかの図面を通じて、同じか、または類似の部分を示す。
【０００７】
【図１】本明細書の例示的な実施形態によるシャツ用襟の態様を示す。
【０００８】
【図２】図１のシャツ用襟の態様の分解図を示す。
【０００９】
【図３】本明細書の例示的な実施形態による襟腰の態様を示す。
【００１０】
【図４】本明細書の例示的な実施形態による襟腰を用いたシャツに取り付けられたシャツ用襟の側面図である。
【００１１】
【図５】本明細書の例示的な実施形態による襟腰を用いたシャツに取り付けられたシャツ用襟の態様を示す。
【発明を実施するための形態】
【００１２】
図１は、本明細書の例示的な実施形態による襟を組み込んだシャツ１０を示す。例えば、線Ｘ‐Ｘ'に沿って縫われることにより、襟腰１２がシャツ本体１４に取り付けられている。襟腰１２は、その一端にボタン１６を、他端にボタン穴１８を有し得、典型的には、シャツの首回りを画定する。例えば、襟２０の実質的に硬質な部分を襟腰１２に挿入し、線Ｙ‐Ｙ'に沿って縫うことにより、襟２０が襟腰１２に取り付けられている。図２は、図１のシャツ用襟の態様の分解図を示す。
【００１３】
ここで図３を参照すると、本明細書の例示的な実施形態による襟腰１２が、内側ピース２２および外側ピース２４という２つの実質的に適合するピースから形成されている。内側ピース２２は、着用されている場合、シャツ１０の内側に位置している。一方、外側ピース２４は、着用されている場合、シャツ１０の外側に位置している。内側ピース２２および外側ピース２４は、襟腰１２を形成するように重ねられる。襟腰１２は、シャツに取り付けられて着用されている場合、首の周りを曲がっていることが好ましい。
【００１４】
本明細書の目的で、襟腰１２の長さは図面において水平寸法であり、襟腰の幅は垂直寸法である。襟腰は、その長さにわたって同じ幅を有している必要はない（すなわち、襟腰は、いくつかの箇所において他の箇所より幅が広いことがある）。同様に、襟腰は、その幅にわたって同じ長さを有している必要はない（すなわち、襟腰は、いくつかの箇所において他の箇所より長いことがある）。例えば、図１を参照すると、長さＹ‐Ｙ'は、長さＸ‐Ｘ'と同じである必要はない。一般に理解されているように、襟腰１２の長さは長い方の寸法であり、その幅は短い方の寸法である。
【００１５】
襟腰１２の内側ピース２２および外側ピース２４は各々、共布を双方向可融基材と一緒に融着させることにより、形成され得る。双方向可融基材は、典型であって必ずではないが、互いに垂直な２つの方向において伸長性および復元性を提供する可融基材である。好ましい実施形態において、双方向可融基材は、その水平方向または長さ方向において、より高い伸長性を有する。水平方向への伸長が約９０％、他の方向への伸長が約１０％であることが好ましい。
【００１６】
内側ピース２２および外側ピース２４を形成するために用いられる共布は、綿、ポリコットン、リネン等を含む任意の一般的なシャツ生地であり得る。共布は、シャツと同じ生地であり得るが、そうである必要はない。
【００１７】
ピース２２、２４を形成するために用いられる共布は、任意の態様、例えば、その長さ、幅に沿って、またはバイアスで、などの態様で切断され得る。
【００１８】
ピース２２、２４を形成するために用いられる共布は最初、伸長箇所（例えば、圧縮された織物材料または圧縮されたニット材料）を有しているか、または有していないことがある。
【００１９】
いくつかの実施形態において、襟腰のピース（すなわち、内側ピース２２および外側ピース２４）は、最初に、基礎となる共布を圧縮してこの共布に伸長特性を与え、次に、圧縮された基礎となる共布を（この圧縮によってもたらされる伸長を制御し、記憶させるために）双方向可融基材と組み合わせることにより、形成され得る。理解されるべきであるように、基礎となる共布は伸長能力を有し、伸長性および復元性は可融基材により影響を受ける。
【００２０】
図４は、本明細書の例示的な実施形態による襟腰２４を用いてシャツ本体１４に取り付けられたシャツ用襟２０の側面図を示す。
【００２１】
上述のように、襟腰１２の底部は、例えば線Ｘ‐Ｘ'に沿ってシャツ本体１４に取り付けられている（図１〜図２）。襟腰１２の上部は、例えば、線Ｙ‐Ｙ'に沿って縫われることにより、襟２０に取り付けられている（図１〜図２）。
【００２２】
図２および図４を参照すると、襟２０を襟腰１２に結び付けるために、襟２０の下側の実質的に硬質な部分が襟腰１２の内側ピース２２と外側ピース２４との間に位置し、これらのピースは結び付けられる（例えば、一緒に縫い合わされる）。襟腰１２の内側ピース２２と外側ピース２４との間に位置する、襟２０の下側部分の幅（Ｗ１）は、約１／８インチ（３．２ｍｍ）から１／４インチ（６．４ｍｍ）までであることが好ましい。
【００２３】
襟腰１２の内側ピース２２および外側ピース２４は、２つの方向において伸長性および復元性を有する生地から形成されていることが好ましい。襟腰１２は、襟腰の底部と実質的に平行であり、それによりシャツの上部と実質的に平行である、実質的に水平な方向において伸長性および復元性を有することが好ましい。襟腰は、襟腰の底部と実質的に垂直であり、それによりシャツの上部と実質的に垂直である、実質的に垂直な方向において伸長性および復元性を有することも好ましい。
【００２４】
襟腰１２をシャツ本体１４に取り付けるために、シャツ本体１４の上部が襟腰１２の内側ピース２２と外側ピース２４との間に位置し、これらのピースは一緒に縫い合わされている。襟腰の内側ピースと外側ピースとの間に位置する、襟２０のシャツ部分の幅（Ｗ２）は、約１／８インチ（３．２ｍｍ）から１／４インチ（６．４ｍｍ）であることが好ましい。
【００２５】
幅Ｗ１は、襟腰１２における過度に多くの空間を占有することなく、襟２０を襟腰１２において保持するのに十分であるべきことが理解されるべきである。同様に、幅Ｗ２は、やはり襟腰１２における過度に多くの空間を占有することなく、シャツ本体に結び付けられた襟腰１２を保持するのに十分であるべきである。
【００２６】
図５を参照すると、襟腰１２のうちの、襟２０の一部分またはシャツ１４の一部分のいずれかを覆わない部分の幅Ｗ３は、少なくとも襟腰１２の実質的な長さにわたって、襟腰１２の全幅の少なくとも８０％であることが好ましい。当業者なら、本明細書を読めば、襟腰１２内にある、襟およびシャツの部分が過度に大きい場合には、襟腰はその伸長特性および／または復元特性の一部を失ってしまうことを認識および理解しよう。本明細書のいくつかの好ましい実施形態において、幅Ｗ３は、平均で襟腰１２の全幅（Ｗ）の５０％と９５％との間である。言い換えると、幅Ｗ１と幅Ｗ２の和は、平均で襟腰１２の全幅（Ｗ）の５％と５０％との間である。つまり、Ｗ１＋Ｗ２は、襟腰１２の長さに沿ってＷの５％と５０％との間であることが好ましい。例えば、例示的な襟腰は約１と１／４インチ（３２ｍｍ）の全幅（Ｗ）を有し、襟の下側部分の幅（Ｗ１）は約１／４インチ（６．４ｍｍ）であり、シャツ部分の幅（Ｗ２）も約１／４インチ（６．４ｍｍ）である。本例において、幅（Ｗ３）は、約３／４インチ（１９．２ｍｍ）または襟腰の全幅（Ｗ）の約６０％である。
【００２７】
述べられるように、襟腰１２の内側ピース２２と外側ピース２４とは必ずしも平行ではないので、幅Ｗ１および幅Ｗ２と幅Ｗ３とは襟腰１２の全体にわたって同じではないことがある。
【００２８】
述べられるように、本明細書の好ましい実施形態において、襟２０、または少なくとも襟２０のうちの襟腰１２に取り付けられた下側部分は、実質的に硬質である。いくつかの好ましい実施形態において、例えばドレスシャツ等については、襟２０の全体が実質的に硬質である。シャツ本体は一般に、硬質ではない。従って、襟腰１２の底部は、上部より大きく拡張し／伸び得る。襟腰が約１５％圧縮されると、取り付けられたシャツの伸長性と適合し、伸長性があるシャツの伸長性とも適合し得る。
【００２９】
本明細書において説明される、襟と襟腰との組み合わせは、従来のアプローチを越える数々の利点を提供する。襟腰は、圧縮されているので、圧縮されていない襟ほど多くは縮まない。しかしながら、襟腰が伸びた場合、襟腰は、実質的にその元の長さに戻る。
【００３０】
上述のように、襟腰１２はシャツ本体１４に結び付けられる。当業者には理解されるように、襟腰１２は、シャツ本体１４の異なる部分に結び付けられる。シャツの裏側において、襟腰１２は典型的に、シャツのヨークまたはシャツのバックパネルに結び付けられる。本明細書において説明される襟腰は、襟腰がシャツに結び付けられている場所でのしわを減少させる。
【００３１】
このしわは通常、不均一な外観をもたらす、洗浄後の反対方向における縮みまたは反対方向における伸長の結果として、または襟腰をシャツに（例えば、シャツのヨークに）つなげる場合に用いられる、誤った縫い合わせ張力により発生する。
【００３２】
襟腰は２つの方向に動くことができるので、襟腰は、平坦なままであるか、または特に生地が首の周り全体を曲がらなければならない場合に普通は生じるしわを大幅に減少させることが可能になる。
【００３３】
故に、その形状を保持しつつ必要に応じて伸び、実質的にその元の長さに戻るシャツ用襟腰が説明される。説明されるシャツ用襟腰は、縮みがほとんどないか、または全くなく、また、シャツのバックヨークにつながる箇所のしわを無くすように、着用された場合に撓む。
【００３４】
あるプロセスが本明細書において説明される場合、当業者なら、当該プロセスがユーザによるいかなる介入もなしに機能し得ることを理解しよう。別の実施形態において、当該プロセスは、人間による介入を一部含む（例えば、あるステップが、人間により、または人間の支援の下で実行される）。
【００３５】
本明細書において用いられるように、「部分」という用語は、一部または全部を意味する。よって、例えば、「Ｐの一部分」は、「Ｐ」の一部または「Ｐ」の全部を含み得る。ある会話の文脈において、「部分」という用語は、当該会話の一部または全部を意味する。
【００３６】
特許請求の範囲を含め、本明細書において用いられるように、「少なくともいくつか」という表現は、「１または複数」を意味し、１つのみの場合を含む。故に、例えば、「少なくともいくつかのＡＢＣ」という表現は、１または複数のＡＢＣを意味し、１つのみのＡＢＣの場合を含む。
【００３７】
特許請求の範囲を含め、本明細書において用いられるように、「を用いて」という表現は、「を少なくとも用いて」を意味し、排他的なものではない。故に、例えば、「Ｚを用いて」という表現は、「少なくともＺを用いて」を意味する。「のみ」という文言を用いて特に記載されない限り、「Ｚを用いて」という表現は、「Ｚのみを用いて」を意味するものではない。
【００３８】
一般に、特許請求の範囲を含め、本明細書において用いられるように、「のみ」という文言が表現中で特に用いられない限り、その表現に解釈されるべきではない。
【００３９】
特許請求の範囲を含め、本明細書において用いられるように、「別個」という表現は、「少なくとも部分的に別個」を意味する。特に記載されない限り、別個は完全に別個を意味するものではない。故に、例えば、「ＸはＹとは別個である」という表現は、「Ｘは少なくとも部分的にＹとは別個である」を意味し、「ＸはＹと完全に別個である」を意味するものではない。故に、特許請求の範囲を含め、本明細書において用いられるように、「ＸはＹとは別個である」という表現は、Ｘは少なくともいくつかの態様でＹとは異なることを意味する。
【００４０】
本明細書および特許請求の範囲における「第１」および「第２」という文言は、区別または識別するために用いられるものであって、連続的または数的な限定を示すものではないことを理解すべきである。同様に、（「（ａ）」、「（ｂ）」等のような）文字または数的符号の使用は、区別および／または識別を助けるために用いられるものであって、いかなる連続的または数的な限定または順序も示すものではない。
【００４１】
最も実際的かつ好ましい実施形態と現在考えられていることに関連して本発明が説明されてきたが、本発明は、開示される実施形態に限定されるべきではないが、反対に、添付の特許請求の範囲および趣旨内に含まれる様々な修正および同等の構成を包含することが意図されているということが理解されるべきである。
【図１】
2019510138.tif 000003
【図２】
2019510138.tif 000004
【図３】
2019510138.tif 000005
【図４】
2019510138.tif 000006
【図５】
2019510138.tif 000007
【国際調査報告】
2019510138.tif 000008
2019510138.tif 000009
2019510138.tif 000010
2019510138.tif 000011